(57)【要約】      （修正有）【課題】線引具へのチョーク粉末のセットを簡単且つ容易に行うことができ、また、線引作業をスムーズに行うことができ、さらには線引色の変更を簡単且つ素早く行うことができる線引具を提供する。【解決手段】線引具１の本体からチョーク粉末を収容するタンク部４を着脱できるようにし、また、引き出された糸５上をタンク部４が進退移動できるようにする。他、糸５とリール３ｃの接続も解除できるようにする。【選択図】図１
0003116070.tif 000002
【実用新案登録請求の範囲】
【請求項１】
ケース内に糸を巻回するリールが回転自在に設けられ、そのリールに巻回された糸がマーキング用の任意の着色部材を収容するタンク部を通過してケース外部に案内されている線引具において、タンク部が、糸を通過させた状態のままでケース本体と着脱できるようになっていることを特徴とする線引具
【請求項２】
タンク部のケース本体への装着が、ケース本体および／またはタンク部に設けられた装着案内手段によってケース本体とタンク部に有する係着手段が案内されて係着し、その装着案内はタンク部を略９０度回転させることによって係着するようになっていることを特徴とする請求項１の線引具
【請求項３】
タンク部が、糸が繰り出された際ケースから離脱させることによって糸上を進退移動できるようになっており、且つタンク部に収容する着色部材の漏洩を防止する任意の漏洩防止手段が設けられていることを特徴とする請求項１の線引具
【請求項４】
タンク部の進退移動がそのタンク部に設けられている任意の自走手段によって移動することを特徴とする請求項１の線引具
【請求項５】
自走手段が任意の電池を駆動源とする電源駆動のものであることを特徴とする請求項４の線引具
【請求項６】
糸は、リールに接続される道糸部と着色部材が付着する転写糸部が連結されており、且つその道糸部と転写糸部の連結は解除自在となっていると共にその連結部はリールに巻回された糸が全て繰り出され、且つタンク部が取り外された際にケース本体外部から連結または解除の操作ができる位置にあることを特徴とする請求項１の線引具
【請求項７】
糸は、リールまたはリールに設けられている連結部材に接続されており、且つその接続は解除自在となっていると共にその接続部はリールに巻回された糸が全て繰り出され、且つタンク部が取り外された際にケース本体外部から接続または解除の操作ができる位置にあることを特徴とする請求項１の線引具
【請求項８】
糸は、その一方に設けられている接続手段によってリールまたはリールに設けられている連結部材に接続されており、且つその接続は解除自在となっていると共にその接続手段はリールに巻回された糸が全て繰り出され、且つタンク部が取り外された際にケース本体外部から接続または解除の操作ができるようになっていることを特徴とする請求項１の線引具
【請求項９】
リールとの接続が解除された糸の任意の長さを収容できる収容手段が設けられており、また、その収容手段はタンク部に一体的に設けられまたはタンク部と別部材として設けられていることを特徴とする請求項６または請求項７または請求項８の線引具
【請求項１０】
糸の収容手段は糸を巻回して収容できる巻回手段であることを特徴とする請求項９の線引具
【請求項１１】
ケース本体から取り外されたタンク部と共に、リールとの接続が解除された糸を収容できる収容部材が設けられていることを特徴とする請求項６または請求項７または請求項８の線引具
【請求項１２】
糸の収容部材に糸を巻回して収容できる巻回手段が設けられていることを特徴とする請求項１１の線引具
【請求項１３】
巻回手段が任意の電池を駆動源とする電源駆動のものであることを特徴とする請求項１０または請求項１２の線引具
【請求項１４】
リールの回転速度を早くするための増速手段が設けられていることを特徴とする請求項１の線引具
【請求項１５】
タンク部が手で握持できる程度の円筒状であることを特徴とする請求項１の線引具
【考案の詳細な説明】
【技術分野】
【０００１】
本考案は、線引具に関し、特に長い距離に直線を引くための大型の線引具に関するものである。
【背景技術】
【０００２】
従来、線引具の代表的なものとしては墨壷があり、これは建築の際に、木材等の材料の表面に長い直線を簡単に引く道具として用いられている。
そして、この墨壷と同じ方法によって直線を引くものとしてチョーク線引具があり、これは墨壷に用いられる墨汁やインクに代わり、取り扱いが容易なチョーク粉末を用いて直線を引くものである。チョーク線引具は、直線を引くための糸を巻回したリールがケース内に立設された軸等に回転自在に支持されており、そのリールに巻回された糸がチョーク粉末を収容するチョーク室を通過してケースの外部に案内されている。
【０００３】
このチョーク線引具による線引作業（マーキング作業）は、線引範囲の一方の端にケースを置き、ケースの糸出入口に係止された糸に結ばれたフック（かるこ）を引き出す。この引き出しにより、糸がチョーク室を通過する際にその糸にチョーク粉末が付着してケースから出てくる。
そして、フックを線引範囲の他方に置いて糸を張り、この糸を上方に持ち上げて放すことによって糸が被線引面に叩きつけられ、糸に付着しているチョーク粉末がその被線引面に付着して直線を引くことができる。
【０００４】
この線引作業が終わると、ケースに備えるハンドルを糸の巻き取り方向に回転させることにより、引き出されている糸がケース内のリールに巻き取られる。
リールとハンドルは回転を伝達する軸を介して接続されている。普通、リールはケース内に配置され、また、ハンドルはケースの外部に配置される。そして、リールがケース内の他の部材と隔離されることもある。すなわち、ケース内にリールを収納する室が設けられて、その室に配置されている。
【考案の開示】
【考案が解決しようとする課題】
【０００５】
線引具は以上のようになっているが、道路や駐車場等で用いられる線引具すなわち長い距離に直線を引くための比較的大型の線引具においては、それを使用する者が限られていることもあって発売当初の性能のまま何ら改善されることなく提供されている。このことから、本出願人はより高性能すなわち優れた取扱性を有する線引具を提供するため、従来からの線引具の取扱性等を検証した。その結果、以下のような問題点が判明した。
【０００６】
その問題点は、線引具へのチョーク粉末のセットにおいては、線引用のチョーク粉末が線引具のケース本体内に充填されるようになっているので、その充填作業の際、大型で重量のある線引具を片手で保持しながらチョーク粉末を線引具のケース内に充填しなければならず、そのチョーク粉末の充填が非常にやり難い。
また、線引作業においては、長い直線を何本も引く場合、数回の線引が終了する毎に引き出された糸を再度ケース内に巻き取ってチョーク粉末を糸に付着させながら作業しなければならない。また、糸にチョーク粉末が付着しなかった箇所があった場合は、もう一度糸をケース内に巻き取ってチョーク粉末を付着させなければならず、線引作業がスムースに行えず時間が掛かっている。
さらに、線引色の変更においては、既にケース内に充填されているチョーク粉末をケース内から取り出して、新たな色のチョーク粉末をケース内に充填しなければならない。この時、取り出したチョーク粉末の保管、また、取り出しの際のチョーク粉末のこぼれ、そして、チョーク粉末の湿気状態によっては取り出しに手間取ったり、また、変更する色によってはケース内に残っているチョーク粉末が影響して予定していた線引色にならなかったりと、線引色を変更して行う線引作業は手間と時間が掛かっている。
【０００７】
従って、本考案は上述した問題点に鑑みてなされたものであり、線引具へのチョーク粉末のセットを簡単且つ容易に行うことができ、また、線引作業をスムースに行うことができ、さらには、線引色の変更を簡単且つ素早く行うことができる線引具を提供することを目的とするものである。
【課題を解決するための手段】
【０００８】
本考案の要旨とするところは、ケース内に糸を巻回するリールが回転自在に設けられ、そのリールに巻回された糸がマーキング用の任意の着色部材を収容するタンク部を通過してケース外部に案内されている線引具において、タンク部が、糸を通過させた状態のままでケース本体と着脱できるようになっていることを特徴とする線引具である。
【０００９】
本考案の線引具を詳しく説明すると、ケースとは、少なくとも線引き用の糸を巻回するリールやマーキング用の着色部材の収容部を収容する部材であって線引具の本体でもある。
そのケースは、普通樹脂素材や金属素材等からなる半ケースが合わされて、また、任意に分割して形成されたケースＡＳＳＹが組み合わされてなる。そして、そのケース内に線引き用の糸を巻回するリールが回転自在に設けられる。リールはケース外部に設けられた直接手に握れる回転ハンドルと直接的または間接的に接続されており、回転ハンドルを回転させることによってリールが回転する。
また、リールの回転速度を早くするための増速手段を設けてもよく、その増速手段の配設はリール側または回転ハンドル側そして軸内の何れであってもよい。増速手段もどのような形態また構成のものでもよく、例えば、遊星歯車からなるものでもよい。
【００１０】
リールを回転自在に設けるには、具体的には、リールの回転芯に軸を設けてその軸をケースに形成した任意の部材、例えば、軸受け部材等で支持してもよい。あるいは、リールの回転芯に凹所や回転芯を取り巻くリブ等のガイドを形成し、ケースに形成した任意の部材、例えば、軸等をその凹所やガイド内に入れ込んで
支持してもよい。
軸の形状も特に限定するものではない。普通に用いられている円柱状してもよい。そして、軸を先端に向かって先細としてもよい。また、凹所やガイドの形状も特に限定するものではなく、好適な形状また形態とすればよい。
【００１１】
リールも、糸を巻回することができればよく、その形態を特に限定するものではない。また、糸も綿やナイロン等を用いればよい。マーキング用の着色部材においても、線引具の線引き対象によってチョーク粉末やインク等の着色部材が用いられている。そして、着色部材を収容する収容部も、用いる着色部材によってそれに対応する形態に形成されており、本発明の線引具はチョーク粉末等の粉末体を用いるものである。また、粉末のケース内の飛散を防止可能な構造にするのがよく、例えば、マーキング用の着色部材を入れるタンク部と線引き用の糸を巻回するリール室を糸が通過可能に密閉してもよい。
【００１２】
そして、着色部材を収容するタンク部は、ケース本体と着脱できるようになっている。その着脱構造等も特に限定するものではなく、螺着構造を用いたねじ込み式にしたり、弾発手段を用いた嵌め込み式にしてもよいが、装着の確実な維持や着脱操作を容易するならば、ケース本体および／またはタンク部に設けられた装着案内手段によってケース本体とタンク部に有する係着手段が案内されて係着するようにし、また、その装着の案内はタンク部を略９０度回転させることによって係着させるようにするのがよい。
【００１３】
さらには、その着脱自在になっているタンク部をケース本体から取り外した際に、着色部材の収容部に続く着色部材の漏洩防止手段が備えられた開口部を設けてもよく、その開口から着色部材をその収容部に入れられるようにしてもよい。また、タンク部の一方に備える糸の出入口を有するキャップに、糸に余分に付いた粉末体を落とす適当な落とし手段（フェルト等）を設けてもよい。
勿論、キャップをタンク部と着脱自在にすることにより、そのキャップを取り外すことによってその開口から着色部材を供給するようにしてもよい。その具体的な形態としては、タンク部の先端の糸の出入口を形成する部位を任意の範囲で着脱自在なキャップとし、そのキャップを取り外すことによって着色部材の収容部に続く開口が現れるようにして、その開口から着色部材を供給できるようにしてもよい。この場合、開口はなるべく大きな開口とするのがよい。
【００１４】
また、タンク部が、糸が繰り出された際ケースから離脱させることによって糸上を進退移動できるようにしてもよく、その際、タンク部に収容する着色部材の漏洩を防止できる任意の漏洩防止手段を設けなければならない。
進退移動できるようにするには、例えば、糸をタンク内の着色部材の収容部を通過できるようにし、その糸をタンクの両端部位等の任意の部位からタンク外に導通させて、タンク部を糸によって支持するようにしてもよい。また、着色部材の漏洩防止手段は、タンク部自体の構造によるものでも、外部部材を取り付けることによって防止するものでもよく、着色部材の漏洩ができるようになっていればその全てを漏洩防止手段と解釈する。勿論、タンク部を通過する糸に付着する着色部材（粉末体）を落とす適当な落とし手段も漏洩防止手段と解釈する。
【００１５】
そして、タンク部の進退移動は人によって移動させるようにしてもよいが、タンク部に設けた任意の自走手段によって移動させるようにしてもよい。
その自走手段は、例えば、任意の電池を駆動源とする電源駆動のものであったり、また、バネの復元力を利用したゼンマイを駆動源とするものでもよく、所望のものを用いればよい。
任意の電池を駆動源とする電源駆動のものとしては、使い捨ての一次電池や充電可能な二次電池さらには太陽光による太陽電池を用いてもよく、それらを電源としてタンク部に配設したモーターを駆動し、タンク部をロープウエイのように移動させてもよい。
【００１６】
線引具の糸は、リールに巻回され且つタンク部を通過してケース外部に案内されている。そして、少なくとも着色部材を付着させる範囲にある糸は線引具から取り外すことができるようになっている。
その第１の形態としては、糸を、リールに接続される道糸部と着色部材が付着する転写糸部とを連結して構成し、その道糸部と転写糸部の連結を解除できるようにする。また、その連結部の位置を、リールに巻回された糸が全て繰り出され、且つタンク部が取り外された際にケース本体外部から連結または解除の操作ができる位置にする。
【００１７】
第２の形態としては、糸を、リールまたはリールに設けられている連結部材に接続し、また、その接続を解除できるようにする。そして、その接続部の位置を、リールに巻回された糸が全て繰り出され、且つタンク部が取り外された際にケース本体外部から接続または解除の操作ができる位置にする。
第３の形態としては、糸を、その一方に設けられている接続手段によってリールまたはリールに設けられている連結部材に接続し、また、その接続を解除できるようにする。そして、その接続手段の位置を、リールに巻回された糸が全て繰り出され、且つタンク部が取り外された際にケース本体外部から接続または解除の操作ができる位置にする。
【００１８】
さらには、リールとの接続が解除された糸の任意の長さを収容できる収容手段を設けてもよい。糸の収容は、糸の全長としてもあるいは適当な長さの糸長だけを収容してもよく、線引具の適応形態によって決めればよい。
その収容手段の形態や収容方法も特に限定するものではなく、糸の絡みが発生しないように収容できるものであればよい。例えば、リール等の巻回機構によって糸を巻回状態で収容してもよく、また、任意の電池を駆動源として電源駆動によってリール等の巻回機構を駆動してもよい。勿論、手動でハンドル等を回転させて糸を巻き取るようにしてもよい。
そして、その収容手段はタンク部に一体的（内部／外部）に設けてもよく、また、タンク部と別部材として単独で設けてもよい。そのタンク部と別部材として設けた場合は、任意の係着手段等によってタンク部に取り付けできるようにしてもよい。勿論、タンク部に取り付けできるようにすることなく、糸の収容部材として単独で取り扱うようにしてもよい。
【００１９】
そして、線引具とは別に形成した収容部材を設けて、その収容部材にケース本体から取り外したタンク部とリールとの接続が解除された糸を収容するようにしてもよい。また、糸の収容も糸の絡みが発生しないように収容できるものであればその収容形態や収容方法も特に限定するものではない。例えば、リール等の巻回機構によって糸を巻回状態で収容してもよく、また、任意の電池を駆動源として電源駆動によってリール等の巻回機構を駆動してもよい。勿論、手動でハンドル等を回転させて糸を巻き取るようにしてもよい。
【００２０】
従って、本考案の線引具は以上のように構成されているので、線引具に着色部材すなわちチョーク粉末を充填する際は、円筒状（外形円柱）のタンク部材を手で握持することができるので、安定よく線引具を支えた状態でチョーク粉末の充填操作ができる。また、タンク部を線引具の本体から取り外すと共にキャップを取り外すし、キャップの取り外しによって生じた開口からチョーク粉末を入れることもできる。
【００２１】
また、ケース本体からタンク部を取り外すことによってそのタンク部は糸上を進退移動することができので、引き出した糸にチョーク粉末が付着しなかった箇所がある場合、その未付着箇所へタンク部だけ移動させることによってその箇所のチョーク粉末の再付着を行える。
【００２２】
さらに、ケース本体からタンク部が取り外すことができ、また、糸とリールとの接続も解除できるので、線引色を変更する場合は、ケース本体からタンク部を取り外すと共に糸とリールの接続を解除して線引具からタンク部と糸を取り除き、所望の線引色のチョーク粉末と線引糸がセットされているタンク部を線引具に取り付けすなわち糸をリールと接続すると共にタンク部をケース本体に取り付けることによって線引色の変更を行える。
【考案の効果】
【００２３】
本考案の線引具は以上のように構成されているので、線引具にチョーク粉末を充填する際、安定よく線引具を支持できる。また、線引具本体からタンク部を取り外してチョーク粉末を充填する際は、手で保持する部材が軽いタンク部だけであるので手に掛かる重量的負担が軽減され、チョーク粉末の充填中も安定してタンク部を保持することができる。また、タンク部のチョーク粉末の投入口（開口）も広くでき、チョーク粉末をこぼすことなく投入することができる。
【００２４】
また、線引作業においてチョーク粉末の糸への未付着が生じた際も、タンク部をケース本体から取り外し、そのタンク部だけをチョーク粉末の未付着が生じた箇所に移動させて糸へチョーク粉末を付着させることができるので、従来のように、糸を再びケース内に巻き取りまた引き出してチョーク粉末を付着させる面倒な操作を行わなくてよい。
【００２５】
さらに、線引作業中の線引色の変更においては、ケース本体からタンク部を取り外すことができると共に糸もリールとの接続を解除できるので、そのタンク部と糸を線引具から取り外し、所望の線引色のチョーク粉末が充填されているタンク部と線引糸がセットされているタンク部を線引具に取り付けることによって線引色の変更を行えるので、線引作業中であっても容易に且つスピーディーに線引色の変更ができる。
【考案を実施するための最良の形態】
【００２６】
本考案の線引具を以下図面に従って説明すると、図１は、本考案に係る線引具を示す正面図であり、１は線引具、２は線引具１を持ち運ぶ際の持ち手、３はリール部で、その内部に糸５を巻回できるようになっているリールが回転自在に支持されている。３ａは内装するリールに糸５を巻き取るための巻取りハンドル、４は着色部材であるチョーク粉末を収容するタンク部、４ａはタンク部４の先端に装着されているキャップで、糸５が出る糸出入口４ｂが形成されている。５はチョーク粉末を披着色面に付着させるための糸、６は糸５の先端に設けられているフックである。（ａ）図は、通常の状態であり、（ｂ）図は、線引具１の本体からタンク部４を取り外した状態を示す。すなわち、タンク部４を糸５のチョーク粉末の未付着が生じた箇所に移動させて、その部分にチョーク粉末を付着させることができるようになっている。
【００２７】
図２および図３は、タンク部の着脱構造例を示す斜視図であり、また、本図では糸５を省略している図である。図２は横方向から見た図で、図３はリール部３側からタンク部４を見た図である。
３はリール部で、そのリール部３側には係着口３ｂが形成されており、また、４はタンク部で、そのタンク部４側には係着部材４ｃが形成され、タンク部４の係着部材４ｃをリール部３の係着口３ｂに挿入し、タンク部４を９０度回転させることによって係着できる構造のものである。４ｄはリール部３に入る糸５に付着するチョーク粉末を排除するフェルト、４ｅはフェルト４ｄに設けられた糸５が通過する通孔である。
【００２８】
図４は、タンク部のキャップ付近を示す一部拡大斜視図であり、４はタンク部、４ａはキャップで、本図のキャップは螺着によってタンク部４に装着される。４ｂは糸５の糸出入口、４ｆは開口で、この開口４ｆから着色部材であるチョーク粉末が投入される。５は糸、６はフックである。
【００２９】
図５は、キャップ内部を示す図であり、４ａはキャップ、４ｈはタンク部４に充填されたチョーク粉末の漏洩を防止するフェルト、４ｉはフェルト４ｈに設けられた糸５が通過する通孔、４ｇはフェルトを止めている押さえである。
【００３０】
図６は、着色部材の再付け機能を示す図であり、１は線引具、２は線引具１を持ち運ぶ際の持ち手、３はリール部、３ａは内装するリールに糸５を巻き取るための巻取りハンドルである。
タンク部４は、リール部３から取り外すことによって糸５上を進退移動できるようになっており、引き出した糸５に着色部材であるチョーク粉末が付着していない箇所が生じた場合は、タンク部４をリール部３から取り外し、その末付着部に移動させることによってチョーク粉末を付着させることができる。
【００３１】
図７は、タンク部の自走構造例を示す一部切欠き図であり、本図の例は、タンク部４内に電動あるいはゼンマイ等によって駆動される自走用ローラ７を設け、タンク部材４を自走させたい時、その自走用ローラ７を糸５に当接させることによってタンク部材４を自走させるようにしたものである。図では、自走用ローラ７を駆動させるモーター／電池またゼンマイ等は省略している。
【００３２】
図８から図１０は、糸の接続／解除の構造例を示す図であり、糸５は全て引き出された状態であると共にタンク部４もリール部３から取り外されている状態である。
図８は、リール部３に内装するリール３ｃに接続された道糸５ａに糸５が結ばれている形態のもので、５ｂがその結び目である。その結び目５ｂを解くことによって糸５と共にタンク部４を線引具１本体から取り外すことができる。
図９は、リール部３に内装するリール３ｃに設けられた係着部材３ｄに、糸５に接続された接続部材８の接続端８ａを係着する形態のものである。図で示すように、係着部材３ｄと糸５に接続された接続部材８の接続端８ａの係着が解かれると、糸５と共にタンク部４が線引具１本体から取り外すことができる。
図１０は、リール部３に内装するリール３ｃに設けられた接続部材３ｅの接続端３ｆに、糸５の接続端５ｃを係着する形態のものである。図で示すように、接続部材３ｅの接続端３ｆと糸５の接続端５ｃの係着が解かれると、糸５と共にタンク部４が線引具１本体から取り外すことができる。
【００３３】
図１１および図１２は、タンク部と糸の保持例を示す図であり、線引具１本体から取り外された、糸５と共にタンク部４の保持（収容）状態の一例を示すものである。
図１１は、支持具９に備える保持輪９ａにタンク部４を挿入し、タンク部４を立てた状態で保持するようにし、また、糸５は糸収容器１０内に収容するようにした形態のものである。
図１２は、タンク部４の保持は図１１と同様に、支持具９に備える保持輪９ａにタンク部４を挿入し、タンク部４を立てた状態で保持するようにし、また、糸５はリール１１に巻き取り収容するようにした形態のものである。１１ａはリール１１の巻取りハンドルである。
【００３４】
図１３は、タンク部と糸の保持具の一例を示す斜視図であり、図１１で示すタンク部４を支持するための支持具９と糸５を収容する糸収容器１０を複数設けた形態のものである。図では示していないが、この保持具の周囲に開閉できる保護壁等を形成してもよい。勿論、運搬用の持ち手を設けてもよく、さらには、線引具１の本体を収容できるスペースを設けてもよい。
【００３５】
図１４は、チョークの補充形態例を示す図であり、本図は、線引具１にタンク部４を装着した状態のままでキャップ４ａを取り外し、タンク部４の開口４ｆから着色部材であるチョーク粉末を補充する形態を示すもので、１３が補充チョーク容器である。１２は手指であり、タンク部４が円筒状であるため線引具１を容易に保持することができ、チョーク粉末の補充を安定して行うことができる。
【００３６】
図１５は、チョークの補充形態例を示す図であり、本図は、線引具１からタンク部４を取り外すと共に、そのタンク部４キャップ４ａを取り外し、タンク部４の開口４ｆから着色部材であるチョーク粉末を補充する形態を示すもので、１３が補充チョーク容器である。１２は手指であり、タンク部４が円筒状であるためタンク部４を容易に保持することができ、さらには、タンク部４が線引具１の本体から取り外すことができるので、手に掛かる重量的負担が軽減され、チョーク粉末の補充を安定して行うことができる。
【００３７】
図１６は、線引具の使用例を示す図であり、（ａ）図は、糸５を線引具１から引き出し、線画面１４上に張った状態を示すもので、（ｂ）図は、この（ａ）図の状態で、線画面１４上に張った糸５のほぼ中央部を上方に引き上げた状態を示すものである。この後、糸５を離すことによって糸５は線画面１４上に衝突し、糸５に付着する着色部材であるチョーク粉末が線画面１４上に転写されて付着する。
【００３８】
図１７は、線引具の他の使用例を示す図であり、（ａ）図は、糸５を線引具１から引き出した状態を示すもので、また、糸５上に未付着部５ｄが生じた状態を示すもので、（ｂ）は、この（ａ）図の状態で、線引具１の本体からタンク部４を取り外し（切離し）、糸５上に生じた未付着部５ｄにタンク部４を移動させている状態を示すものである。この後、タンク部４が未付着部５ｄ上を通過することによってその未付着部５ｄに着色部材であるチョーク粉末が付着する。
【図面の簡単な説明】
【００３９】
【図１】本考案に係る線引具を示す正面図
【図２】タンク部の着脱構造例を示す斜視図
【図３】タンク部の着脱構造例を示す斜視図
【図４】タンク部のキャップ付近を示す一部拡大斜視図
【図５】キャップ内部を示す図
【図６】着色部材の再付け機能を示す図
【図７】タンク部の自走構造例を示す一部切欠き図
【図８】糸の接続／解除の構造例を示す図
【図９】糸の接続／解除の構造例を示す図
【図１０】糸の接続／解除の構造例を示す図
【図１１】タンク部と糸の保持例を示す図
【図１２】タンク部と糸の保持例を示す図
【図１３】タンク部と糸の保持具の一例を示す斜視図
【図１４】チョークの補充形態例を示す図
【図１５】チョークの補充形態例を示す図
【図１６】線引具の使用例を示す図
【図１７】線引具の他の使用例を示す図
【符号の説明】
【００４０】
１−線引具，２−持ち手，３−リール部，３ａ−巻取りハンドル，３ｂ−係着口，３ｃ−リール，３ｄ−係着部材，３ｅ−接続部材，３ｆ−接続端，４−タンク部，４ａ−キャップ，４ｂ−糸出入口，４ｃ−係着部材，４ｄ−フェルト，４ｅ−通孔，４ｆ−開口，４ｇ−押さえ，４ｈ−フェルト，４ｉ−通孔，５−糸，５ａ−道糸，５ｂ−結び目，５ｃ−接続端，５ｄ−未付着部，６−フック，７−自走用ローラ，８−接続部材，８ａ−接続端，９−支持具，９ａ−保持輪，１０−糸収容器，１１−リール，１１ａ−巻取りハンドル，１２−手指，１３−補充チョーク容器，１４−線画面
【図１】
0003116070.tif 000003
【図２】
0003116070.tif 000004
【図３】
0003116070.tif 000005
【図４】
0003116070.tif 000006
【図５】
0003116070.tif 000007
【図６】
0003116070.tif 000008
【図７】
0003116070.tif 000009
【図８】
0003116070.tif 000010
【図９】
0003116070.tif 000011
【図１０】
0003116070.tif 000012
【図１１】
0003116070.tif 000013
【図１２】
0003116070.tif 000014
【図１３】
0003116070.tif 000015
【図１４】
0003116070.tif 000016
【図１５】
0003116070.tif 000017
【図１６】
0003116070.tif 000018
【図１７】
0003116070.tif 000019